(57)【特許請求の範囲】
【請求項１】
エアバッグシステムのインフレータと共に用いるよう適合された小型の点火器組立体であって、前記点火器組立体は、
内部に開口を備えるアダプタ；
点火部；及び
前記点火部に電気的に連結された、前記点火部から前記アダプタの前記開口へと第１の方向に延在する複数の導体を
含むイニシエータを備え、
前記アダプタの前記開口は、前記複数の導体が延在する前記第１の方向を横断する第２の方向に開口内へと摺動したコネクタを受承するよう成形され、
前記点火器組立体は、前記アダプタの前記開口内に配置するためのコネクタを更に備え、前記コネクタは複数の端子を含み、各前記端子は前記イニシエータの前記複数の導体のそれぞれの導体に連結するよう適合され、
前記点火器組立体は、前記コネクタに連結された挿入保証部品を更に備え、前記挿入保証部品は、前記コネクタが前記アダプタの前記開口内へと挿入される際に、前記アダプタの前記開口内に配置される孔であって、前記第１の方向に延びる孔内へと延在して前記コネクタを固定するよう適合されている、点火器組立体。
【請求項２】
前記複数の端子の各端子は、導電ピンとして形成されたそれぞれの前記導体を受承及び少なくとも部分的に包含するよう適合されたクリップを備える、請求項１の点火器組立体。
【請求項３】
前記イニシエータの前記複数の導体の各導体は、導電ピンを備える、請求項１の点火器組立体。
【請求項４】
前記アダプタは、前記コネクタが前記開口内へと摺動できる入口を含み、
前記入口は前記アダプタの側面に位置決めされる、請求項１の点火器組立体。
【請求項５】
前記アダプタの一部は、挿入された前記コネクタの第２の方向を横断する動きを制限するために、前記開口の少なくとも一部に亘って延在するよう成形される、請求項１の点火器組立体。
【請求項６】
膨張式のエアバッグシステムと共に用いるよう適合されたインフレータであって：
内部に多量のガス発生剤を閉じ込める本体；並びに
前記本体に連結し、少なくとも部分的に前記本体内に、多量のガス発生剤と十分に連通するように位置決めすることで、展開中に膨張ガス供給を生成するための反応を開始させることができるイニシエータであって：
内部に形成された開口を含むアダプタであって、前記開口への入口が前記アダプタの側面に位置決めされたアダプタ；
点火部；及び
前記点火部に電気的に連結された、前記点火部から前記アダプタの前記開口へと第１の方向に延在する複数の導体  
を備えるイニシエータを備え、
前記インフレータは、前記第１の方向を横断する第２の方向に挿入して前記アダプタの前記開口内に配置するためのコネクタを更に備え、前記コネクタは、各々が前記イニシエータのそれぞれの導体に連結するよう適合された複数の端子を含み、
前記インフレータは、前記コネクタに連結された挿入保証部品を更に備え、前記挿入保証部品は、前記コネクタが前記アダプタの前記開口内へと挿入される際に前記アダプタ内の前記開口内に配置される孔であって、前記第１の方向に延びる孔内へと延在して前記コネクタを固定するよう適合されている、
インフレータ。
【請求項７】
前記複数の端子の各端子は、前記イニシエータのそれぞれの前記導体を受承及び少なくとも部分的に包含するよう適合されたクリップを備える、請求項６のインフレータ。
【請求項８】
前記イニシエータの前記アダプタは、前記本体に連結される、請求項６のインフレータ。
【請求項９】
前記イニシエータの前記複数の導体の各導体は、導電ピンを備える、請求項６のインフレータ。
【請求項１０】
前記アダプタの前記開口は、前記複数の導体が延在する前記第１の方向を横断する第２の方向からコネクタを受承するよう構成される、請求項６のインフレータ。
【請求項１１】
前記アダプタは、挿入された前記コネクタの前記第２の方向を横断する動きを制限するために、前記開口の少なくとも一部に亘って延在するよう成形された部分を含む、請求項６のインフレータ。
【請求項１２】
膨張式のエアバッグクッションシステムと共に用いるよう適合されたインフレータを形成する方法であって、前記方法は：
インフレータ本体を形成すること；
前記本体内に多量のガス発生剤を配置すること；
イニシエータを形成することであって、前記イニシエータは：
点火部；
内部に形成された開口であって、コネクタ挿入方向に前記開口内へと摺動したコネクタを受承するよう適合された前記開口を含む、アダプタ；及び
前記点火部に電気的に連結された複数の導体であって、前記点火部から前記アダプタの前記開口へと、前記コネクタ挿入方向を横断する方向に延在する、複数の導体
を備える、イニシエータを形成すること；並びに
前記イニシエータを少なくとも部分的に前記本体内に、前記多量のガス発生剤と十分に近接して位置決めすることで、展開中に膨張ガス供給を生成するための反応を開始させることができる、位置決めすること、
を含み、
複数の端子の各端子が前記イニシエータの前記複数の導体のそれぞれの導体に電気的に連結されるまで、前記コネクタを前記アダプタの前記開口内へと前記コネクタ挿入方向に挿入することを更に含み、
前記コネクタが十分に挿入された際に、前記アダプタの開口内に配置されて前記複数の導体が延在する方向に延びる孔内に挿入保証部品の一部を位置決めすることであって、これにより前記複数の端子の各端子がそれぞれの導体に電気的に連結される、位置決めすることを更に含む、方法。
【請求項１３】
前記イニシエータを少なくとも部分的に前記本体内に位置決めすることは、前記イニシエータの前記アダプタが前記インフレータの本体に連結されるよう配置することを含む、請求項１２の方法。
【請求項１４】
前記コネクタを前記アダプタの前記開口に挿入することは、前記アダプタの側面に位置する入口から前記コネクタを前記開口内へと摺動することを含む、請求項１２の方法。
【請求項１５】
前記複数の端子の各端子がそれぞれの導体に電気的に連結されるまで、前記コネクタを前記アダプタの前記開口内へと挿入することは、クリップとして構成された前記各端子をそれぞれのピン形状の導体に連結することを含む、請求項１２の方法。
【発明の詳細な説明】
【技術分野】
【０００１】
本開示は概して、自動車両用の膨張式のエアバッグクッションに関する。より具体的には、本開示の様々な実施形態は、エアバッグクッションのインフレータ、このようなインフレータと共に使用するための自動車用コネクタ、並びに自動車両用の膨張式のエアバッグシステムで使用されるインフレータ及び自動車用コネクタを作製する方法に関する。
【背景技術】
【０００２】
現在の自動車両は通常、乗員が介在する必要なく非展開状態から展開状態へと自己作動する様々な乗員保護システムを採用している。このようなシステムは、一般に「エアバッグクッション」と呼ばれる、クッション又はバッグの形態の膨張式の乗員保護システムを備え、これは現在多くの新型車両の法的要件となっている。通常、このようなエアバッグクッションは、車両の様々な位置に設置してよく、乗員と、ドア、ハンドル、計器盤、ダッシュボード等の車両内装の特定の部分との間の車両内の１つ又は複数の位置に配備することで、乗員がこのような車両内装の部分に強制的にぶつかるのを防ぐか、又はこのような場合に乗員を保護できる。
【０００３】
車両内の乗員の位置又は配置及び車両衝突の方向又は性質との一方又は両方に基づいた所望の車両乗員保護を提供するために、様々な種類又は形態の乗員保護システムが開発され、適合されてきた。例えば、運転者又は乗客用の膨張式のクッション設備は、正面衝突の場合において運転者及び前方座席の乗客それぞれに保護を提供するために、広く用いられている。他の設備は、（例えば側面衝突、転覆等の）側面衝撃の場合において車両乗員の保護を提供するために、広く用いられている。
【０００４】
エアバッグクッションは従来、必要な空間を最小限にするために、非膨張かつ折り畳まれた状態で収容される。事故発生時には、車両内の加速度計が異常な減速を測定し、一般に「インフレータ」と呼ばれるデバイスが供給又は生成する急速膨張ガスの圧出を引き起こす。この膨張ガスがエアバッグを充填すると、エアバッグは運転者及び／又は乗客の前で即座に膨張して、フロントガラス、ダッシュボード又は他の車両内装の表面に対する衝撃からの保護を提供する。
【０００５】
インフレータは通常、インフレータ内に収容されたガス発生剤を点火するために自動車用コネクタと連結されたイニシエータ（又はスクイブ）を備えた、点火器組立体を備える。図１は従来技術の点火器組立体１００の実施例の側面図である。一般には、点火器組立体１００のイニシエータ１０２は点火部１０４を含み、この点火部１０４は、点火部１０４から軸方向外側に延在する複数の導電ピン１０６と連結されている。自動車用コネクタ１０８は、導電ピン１０６を受承することによりイニシエータ１０２に連結される。通常、矢印１１０で示すような、導電ピン１０６が点火部１０４から延在するのと同じ方向に、導電ピン１０６上に自動車用コネクタ１０８を配置することにより、自動車用コネクタ１０８をイニシエータ１０２に連結する。点火部１０４は通常、自動車用コネクタ１０８から導電ピン１０６を介して電気信号を受信することにより点火される。図示したように、従来の自動車用コネクタ１０８は通常、比較的大型である。即ち、自動車用コネクタ１０８の（図１に示す配向において）下端から上端までのサイズは一般に比較的大きい。従って、点火部１０４の下から自動車用コネクタ１０８の上までの点火器組立体の全体のサイズ１１２は通常は比較的大きく、これにより、インフレータの全設置面積に相当なサイズが付加される場合があり、及び／又は他のインフレータ構成部品のための空間を使い切ってしまう場合がある。
【発明の概要】
【０００６】
本開示の様々な実施形態は、比較的小型であり、かつ膨張式のエアバッグクッションシステム用のインフレータと共に使用するように適合された点火器組立体を備える。１つ又は複数の実施形態では、点火器組立体は、内部に形成された開口を有するアダプタを備えたイニシエータ、点火部、及びこの点火部に電気的に連結された、点火部からアダプタの開口へと第１の方向に延在する複数の導体を備えてよい。アダプタの開口は、複数の導体が延在する第１の方向を横断する第２の方向に開口内へと摺動したコネクタを受承するように形成してよい。少なくともいくつかの実施形態では、コネクタをアダプタの開口内に配置するよう適合してよい。このようなコネクタは複数の端子を備えてよく、各端子はイニシエータの複数の導体のそれぞれの導体に連結されるように適合される。
【０００７】
本開示の更なる実施形態は、小型の点火器組立体を備える、エアバッグシステムのインフレータを含む。様々な実施形態によると、インフレータは、その中に多量のガス発生剤を閉じ込める本体を備える。イニシエータを本体に連結し、少なくとも部分的に本体内に位置決めし、上記多量のガス発生剤と十分に連通させることで、展開中に膨張ガス供給を生成するための反応を開始させることができる。イニシエータは、その内部に形成された開口を有するアダプタを含んでよく、開口への入口はアダプタの側面に位置決めされる。イニシエータは、点火部、及び点火部に電気的に連結された、点火部からアダプタの開口へと第１の方向に延在する複数の導体を更に備えてよい。少なくともいくつかの実施形態では、コネクタをアダプタの開口内に配置するよう適合してよい。コネクタは複数の端子を備えてよく、各端子はイニシエータのそれぞれの導体に連結されるように適合される。
【０００８】
本開示の他の実施形態は、小型の点火器組立体を備えるエアバッグシステムのインフレータを形成する方法を含む。このような方法の１つ又は複数の実施形態は、インフレータ本体を形成すること及びこの本体内に多量のガス発生剤を配置することを含んでよい。イニシエータは、点火部、コネクタ挿入方向に開口内へと摺動したコネクタを受承するよう適合された開口を備えるアダプタ、及びこの点火部に電気的に連結された複数の導体を備えるよう形成してよい。複数の導体は、点火部からアダプタの開口へと、開口内にコネクタを受承するためのコネクタ挿入方向を横断する方向に延在してよい。イニシエータを、少なくとも部分的に本体内に位置決めして、上記多量のガス発生剤と十分に近接させることで、展開中に膨張ガス供給を生成するための反応を開始させることができる。少なくともいくつかの実施形態では、複数の端子の各端子がイニシエータの複数の導体のそれぞれの導体に電気的に連結されるまで、コネクタをアダプタの開口内へとコネクタ挿入方向に挿入してよい。
【０００９】
本開示の例示的な実施形態は、添付の図面との関連で理解される以下の説明及び添付の請求項から、より完全に明らかになるであろう。これらの図面は単に例示的な実施形態を図示したものであり、従って本開示の請求の範囲を制限するものと見做すべきものではないことを理解した上で、本開示の例示的な実施形態を、添付の図面の使用により、更なる具体性及び詳細と一緒に説明する。
【図面の簡単な説明】
【００１０】
【図１】図１は、点火器組立体の従来技術の実施例の側面図である。
【図２】図２は、本開示の少なくとも１つの実施形態によるエアバッグインフレータを示す等角図である。
【図３】図３は、少なくとも１つの実施形態によるインフレータの、図２の線３−３に沿った横断面図である。
【図４】図４は、少なくとも１つの実施形態による点火器組立体の、図２の線３−３に沿った横断面図である。
【図５】図５は、少なくとも１つの実施形態による点火器組立体の、図２の線５−５に沿った横断面図である。
【図６】図６は、少なくとも１つの実施形態によるアダプタの内側部分の例を示す点火器組立体の横断上面図である。
【図７】図７は、少なくとも１つの実施形態による開口の例を示すアダプタの等角図である。
【図８】図８は、少なくとも１つの実施形態による点火器組立体の等角図である。
【図９】図９は、インフレータを形成するための方法の少なくとも１つの実施形態を示すフロー図である。
【発明を実施するための形態】
【００１１】
本明細書で提示される図面は、場合によって、いずれの特定のコネクタ、イニシエータ、点火器組立体又はインフレータの実際の図ではなく、本デバイス及び方法を説明するために用いる、単に理想的に表現された図である。更に、複数の図面間で共通の要素には、同じ参照番号を付している場合がある。
【００１２】
本開示の様々な実施形態は、自動車両用の膨張式のエアバッグシステムで使用するためのエアバッグクッションインフレータを含む。図２は、本開示の少なくとも１つの実施形態によるエアバッグインフレータ２００を示す等角図である。インフレータ２００を、散布部材２０２及び基礎部材２０４を含むディスク形状のインフレータとして形成できる。散布部材２０２及び基礎部材２０４は、従来の様式（例えば、溶接、接着、機械的手段等）で一体に連結され、本体２０６を形成する。
【００１３】
散布部材２０２は、その横径周りの横側壁に皿状の構成を備えてよい。散布部材２０２の側壁は、展開中に膨張ガスがそれを通してインフレータ２００から抜けることができる１つ又は複数の孔２０８を含んでよい。
【００１４】
基礎部材２０４もまた、その横径周りの横側壁に同様の皿状の構成を備えてよい。基礎部材２０４を、少なくとも１つの点火器組立体２１０を受承し、それと連結するように構成してよい。即ち、基礎部材２０４は、１つ又は複数の点火器組立体２１０を受承し、それと連結するように適合された孔を含んでよい。
【００１５】
本開示の特徴によると、点火器組立体２１０は、従来の点火器組立体と比べて比較的小型に構成される。点火器組立体２１０を小型にすることで、点火器組立体２１０が占める全体の空間（例えば点火器組立体２１０の「設置面積」）を有意に削減できる。このように点火器組立体２１０の設置面積を削減することにより、他のインフレータ部品のために利用できる追加の空間を生み出すことができ、及び／又はインフレータ２００の全体のサイズ（若しくは設置面積）を有意に削減できる。換言すると、本明細書に記載の小型の点火器組立体２１０によって空間を解放することで、インフレータ２００は、性能を向上できる追加の若しくは大型の部品を収容でき、及び／又はインフレータ２００はより小さい幾何学的形状で同等の性能を維持できる。
【００１６】
図２の線３−３に沿ったインフレータ２００の横断面図である図３に示すように、点火器組立体２１０は、コネクタ３０６に連結されたイニシエータ３０４を含む。イニシエータ３０４は本体２０６に対して、多量のガス発生剤３０２と十分に連通するように位置決めされ、これによってインフレータ２００の展開中に膨張流体の供給を生成するためのガス発生剤３０２の反応（例えばガス発生剤３０２の変換）を開始させることができる。イニシエータ３０４は一般に、センサ（図示せず）が衝突を検知すると生成されるような電気信号を、コネクタ３０６を介して受信すると、このような多量のガス発生剤３０２の反応を開始するよう適合される。一般に、電気的信号によりイニシエータの点火部３０８を点火してよく、これにより高温の点火ガスが点火部３０８からガス発生剤３０２に向かって吐出される。いくつかの実装形態では、ガス発生剤３０２の反応を開始するのを補助するために、着火時に点火部３０８に対して加速剤３１０を配備してよい。
【００１７】
ガス発生剤３０２の反応を開始すると、散布部材２０２の孔２０８を通して本体２０６から外向きに流れるように膨張ガスの供給が生成される。フィルタ３１２を設けてよく、このフィルタ３１２は、膨張ガスが散布部材２０２の孔２０８へと流れている間に膨張ガスからデブリ及び熱を除去するよう適合される。従って、多量のガス発生剤３０２と散布器２０２内の孔との間のインフレータ２００の本体２０６内に、フィルタ３１２を設けてよい。
【００１８】
ここで、少なくとも１つの実施形態による点火器組立体２１０の図２の線３−３に沿った横断面図である図４、及び少なくとも１つの実施形態による点火器組立体２１０の図２の線５−５に沿った横断面図である図５に移る。なお、点火器組立体２１０は、コネクタ３０６に連結されたイニシエータ３０４を含む。様々な実施形態によると、コネクタ３０６は、（図４に示す配向において）側面方向から、イニシエータ３０４に摺動可能に連結される。側面から挿入するこのような構造により、コネクタ３０６を有意に低くすることができ、これは実質的に更に小型の点火器組立体２１０に寄与する。即ち、側面から挿入するタイプの連結に適合したコネクタ３０６により、点火部３０８の下からコネクタ３０６及び／又はアダプタ４０２の上までの全体の高さＨを削減できる。例えば、図１に示すようないくつかの従来型の組立体では、全体の高さ１１２は約２６．２ｍｍ〜２８．６ｍｍである。一方、本開示の少なくとも１つの実施形態では、図４の全体の高さＨは約１５．９ｍｍであり、従来型の組立体より高さが約４０％〜４４％削減されている。
【００１９】
イニシエータ３０４は、イニシエータ３０４をインフレータ２００の本体２０６に連結するよう成形されたアダプタ４０２を含む。少なくともいくつかの実施形態では、アダプタ４０２は、基礎部材２０４の側壁の一部を囲むように形成される射出成型材料を備えてよい。点火部３０８は、図４及び５には示していないが、火工材料に囲まれた点火ビーズ等、一般に公知の従来の部品を備えてよい。
【００２０】
図５に示すように、イニシエータ３０４はまた、点火部３０８に連結された複数の導体４０４を含む。複数の導体４０４は、点火部３０８からアダプタ４０２を通して、アダプタ４０２の上部又は近位部に形成された開口４０６へと延在する。いくつかの実施形態では、導体は一般に、ピン形状であってよい。このような実施形態では、導体４０４は、開口４０６内へと短い距離だけ延在してよい。例えば、少なくとも１つの実施形態では、導体４０４は開口４０６内へと約２ミリメートルの距離だけ延在する。他の非限定的な実施例では、導体４０４は開口４０６内へと、開口４０６の表面と少なくとも実質的に平坦又は連続的でありながら開口内に露出するのに十分な距離だけ延在する。即ち、導体４０４は、導体４０４が開口４０６の表面と少なくとも実質的に連続するように、約０ミリメートルだけ開口４０６内へと延在してよい。限定するものではないが例えば、導体４０４を開口４０６内へと、約０ミリメートル〜約２ミリメートルの範囲のいずれの距離だけ延在するように構成してよいが、特定の実装形態によっては他の距離を適用してもよい。このような比較的短いピンの露出により、ピンの湾曲（これはコネクタ３０６とイニシエータ３０４との連結を困難にし、ピンが互いに接触すると短絡を形成してしまう）を低減又は排除することさえできる。
【００２１】
図４から最もよく分かるように、コネクタ３０６はアダプタ４０２の開口４０６の少なくとも一部内に位置決めされる。コネクタ３０６は、コネクタ３０６を開口４０６内へと（図４に示す配向において）側部から矢印４０７の方向に摺動させることにより、開口４０６内に配置できる。即ち、コネクタ３０６は、コネクタ３０６を開口４０６内へと、導体４０４が点火部３０８から延在する配向を横断する方向４０７に摺動させることにより、開口４０６内に配置できる。
【００２２】
コネクタ３０６は一般に、その中で複数の導電素子４１０が延在できるハウジング４０８を備える。ハウジング４０８は電気絶縁材料からなってよい。導電素子４１０は、センサに通信可能に連結して、衝突を検知すると生成される電気信号を送信するよう適合させることができる。フェライトビーズ４１２をハウジング４０８内に位置決めして、複数の導電素子４１０を取り囲んでよい。即ち、導電素子４１０は、フェライトビーズ４１２内の１つ又は複数の孔を通って延在してよい。フェライトビーズ４１２は、外部から導電素子４１０に誘導される電磁及び無線周波数による干渉からの保護を提供する。
【００２３】
ある特徴によると、点火器組立体２１０の様々な実施形態は、コネクタ３０６の一部に連結された挿入保証部品４１４を含んでよい。挿入保証部品４１４は、コネクタ３０６が開口４０６内に十分に挿入されていることの指標を提供でき、コネクタ３０６を開口４０６内に保持する、固定する、又はその両方を行うことができる。１つ又は複数の実施形態では、図４に示すように、挿入保証部品４１４は、コネクタハウジング４０８の一部を通って延在できるか、又はそうでない場合はコネクタハウジング４０８の一部に連結できる。コネクタ３０６が開口４０６内に十分に挿入されている場合、挿入保証部品４１４上の突出部は、アダプタ４０２の孔４１６へと入ることができる。孔４１６は、コネクタ３０６が開口４０６内に十分に配置された際に挿入保証部品４１４が孔４１６と係合するよう、複数の導体４０４に対して位置決めされ、これによりコネクタ３０６は複数の導体４０４と電気接続する。更に、挿入保証部品４１４を孔４１６内に固定することにより、意図せずにコネクタ３０６が摺動して開口４０６から外れないことを保証するロック機構も提供できる。
【００２４】
ここで図６を参照すると、点火器組立体２１０の横断上面図が示されている。図示したように、コネクタ３０６のハウジング４０８内に延在する複数の導電素子４１０は、それぞれの端子６０２と連結される。様々な実施形態によると、複数の端子６０２は、それぞれの導電素子４１０と一体化できるか、又はそれぞれの導電素子４１０に（例えば圧着、溶接、はんだ付け等で）電気的に連結された別個の部品とすることができる。各端子６０２は、イニシエータのそれぞれの導体４０４と接触するよう適合される。図示した実施形態では、導体４０４は導電性ピンとして構成されており、複数の端子６０２は、それぞれのピンを受承及び少なくとも部分的に包含するクリップとして構成されている。しかしながら、このようなピン及びクリップの構成は単なる例であり、複数の端子６０２と導体４０４との間の電気的接触を生み出すための他の様々な構成が可能であることは明らかである。
【００２５】
図７は、少なくとも１つの実施形態による開口４０６の実施例を示すアダプタ４０２の等角図である。開口４０６は、（図７に示す配向において）コネクタを上から受承するのとは対照的に、側面からコネクタを受承するよう形成される。換言すると、開口４０６は、コネクタ（例えば図３のコネクタ３０６）が開口内へと、（図５に示すように）導体４０４が点火部３０８から延在する配向を横断する方向に摺動できるように適合される。図示した実施形態では、開口４０６は、アダプタ４０２の側面に位置決めされた開口４０６への入口７０２を備え、コネクタはこの入口７０２を通って、まず開口４０６内へと入ることができる。挿入保証部品４１４（図４参照）を採用した実施形態では、開口４０６は、挿入保証部品４１４を受承するための孔４１６を含む。
【００２６】
少なくともいくつかの実施形態では、挿入されたコネクタの動きを制限するために開口４０６の少なくとも一部に亘って延在するよう適合された１つ又は複数のコネクタ保持特徴部７０４を備えるように、アダプタ４０２を形成してよい。図７に示す実施形態では、コネクタ保持特徴部７０４は、挿入されたコネクタの上面に亘って延在するよう適合された突出部を備える。このような突出部により、挿入されたコネクタの、コネクタ挿入の方向を横断する方向の動きを制限できる。
【００２７】
開口４０６は更に、キー溝７０６を含んでよい。キー溝７０６は、（図３のコネクタ３０６等の）コネクタのハウジング４０８内の突出部（図示せず）に対応できる。キー溝７０６は従って、コネクタが上下逆さまに挿入されること（これによりコネクタ３０６の複数の端子６０２を誤った導体４０４に接続され得る）がないことを保証できる。しかしながら他の実施形態では、コネクタ３０６は、いずれの方向でもアダプタ４０２に連結されるよう適合でき、これによりコネクタ３０６に対する上側又は下側が存在しなくなり、有利である。
【００２８】
図８は、アダプタ４０２の開口４０６内に挿入されたコネクタ３０６を示す点火器組立体２１０の等角図である。図示したように、コネクタ保持特徴部７０４は、コネクタ３０６の一部に亘って延在する。また、挿入保証部品４１４が下方の位置に示されているが、これは挿入保証部品４１４の突出部が孔４１６（図４に示す）内へと挿入されていることを意味しており、かつ複数の端子６０２（図６）がイニシエータ３０４のそれぞれの導体４０４（図６）に連結されていることを示す。
【００２９】
本開示の更なる実施形態は、エアバッグ設備で使用するためのインフレータを形成する方法に関し、このインフレータは小型の点火器組立体を含む。図９は、図２〜６で示される点火器組立体２１０等の点火器組立体を含むインフレータを形成するための方法の少なくとも１つの実施形態を示すフロー図である。図９を参照し、かつ図２〜７の要素を参照すると、方法９００は、ステップ９０２においてインフレータ本体を形成することを含む。例えばインフレータ本体は、基礎部材２０４に連結された散布部材２０２を含むディスク形状のインフレータ本体２０６を備えてよい。ガス発生剤３０２等の多量のガス発生剤を、ステップ９０４において本体内に配置してよい。
【００３０】
ステップ９０６において、点火部、アダプタ、及び点火部に電気的に連結されかつ点火部からアダプタの開口へと延在する複数の導体を用いて、イニシエータを形成する。例えば、図４及び５に示すように、このイニシエータは、イニシエータ３０４と同様に、アダプタ４０２、点火部３０８、及び複数の導体４０４を用いて実現してよい。アダプタ４０２は、このアダプタ４０２内に形成され、かつコネクタ挿入方向（即ち第２の方向）に摺動したコネクタを受承するよう適合された、開口４０６を備えてよい。複数の導体４０４は、点火部３０８に電気的に連結しよく、かつ点火部３０８からアダプタ４０２の開口４０６へと導体が延在する方向（即ち第１の方向）に延在してよく、ここで導体が延在する方向（即ち第１の方向）はコネクタ挿入方向（即ち第２の方向）を横断する。
【００３１】
ステップ９０８において、イニシエータ（例えばイニシエータ３０４）を、少なくとも部分的に本体２０６内に、ガス発生剤３０２と十分近接して位置決めしてよく、これにより展開中に膨張ガス供給を生成するための反応を開始させることができる。イニシエータ３０４を少なくとも部分的に本体２０６内に位置決めする一方で、アダプタ４０２を本体２０６の基礎部材２０４と連結するように配置してよい。
【００３２】
ステップ９１０において、各端子がイニシエータの複数の導体のそれぞれの導体に電気的に連結するまで、コネクタをアダプタの開口内へと挿入できる。本明細書中で上述したように、アダプタ４０２等のアダプタは、図７に示すように側面に位置する入口７０２を有する開口４０６を含むことができる。従ってコネクタ３０６等のコネクタは、コネクタ３０６を入口７０２から、イニシエータの複数の導体４０４により定義される第１の方向を横断する第２の方向に摺動させることにより、開口４０６内へと挿入できる。少なくともいくつかの実施形態では、図６に示すように、コネクタの複数の端子６０２は、それぞれのピン形状の導体４０４にクリップ留めされたクリップを備えることができる。コネクタ３０６はまた、複数の端子をそれぞれの導体に電気的に連結する際に、アダプタ４０２内の孔４１６内へと延在する挿入保証部品４１４（図４を参照）を備えてよい。
【００３３】
処理動作を連続したプロセスとして説明及び図示したフローチャートにおいて上述の方法９００を示したが、これらの動作の多くは、別のシーケンスにおいて、又は並行して、又は実質的に同時に実施できることを理解されたい。更に、動作の順番は再構成してよい。
【００３４】
本発明は、本明細書中で概説した及び後に請求されるような、構造、方法、又は他の重要な特徴を逸脱することなく、他の具体的な形態で実現してよい。上述の実施形態は、その全ての点において単なる例示として考慮されるべきものであり、限定的なものではない。従って、本発明の範囲は、上述の説明によってではなく、添付の請求項によって示される。請求項の意味内及び均等物の範囲内の全ての変更は、これら請求項の範囲内に包含されるべきものである。
【図１】
0006336961.tif 000002
【図２】
0006336961.tif 000003
【図３】
0006336961.tif 000004
【図４】
0006336961.tif 000005
【図５】
0006336961.tif 000006
【図６】
0006336961.tif 000007
【図７】
0006336961.tif 000008
【図８】
0006336961.tif 000009
【図９】
0006336961.tif 000010